(57)【要約】【課題】  ペットのマーキングや排尿による尿漏れを良好に防止し、装着感にも優れたペット用尿漏れ防止ベルトを提供する。【解決手段】  ペット用尿漏れ防止ベルト１０は、犬３０の尿道口３６を覆う幅のベルト本体１２の両端側に、着脱用及びサイズ調整用の一対の面テープ２４，２６が設けられている。犬３０に当てる面には、長手方向の一方の縁部に、ほぼ全長に亘って立体ギャザー１６が設けられ、他方の縁部には、後足３４の付け根間の範囲に相当する長さの他の立体ギャザー２０が設けられている。前記立体ギャザー１６が犬３０の胸部側になり、他方の立体ギャザー２０が後足３４間に位置するように胴３２に巻き付け装着すると、マーキングや排尿時に、胸部側からの漏れが立体ギャザー１６により防止される。一方、後足３４の付け根間からの漏れは、他の立体ギャザー２０により良好に防止される。【選択図】図１
2007020533.tif 000002
【特許請求の範囲】
【請求項１】
ペット用の尿漏れ防止ベルトであって、
前記ペットの胴体に巻き付けられるとともに、少なくとも前記ペットの尿道口を覆う幅に形成されており、尿を透過させない素材によって形成された帯状のベルト本体，
該ベルト本体のペットに当てる面に、一方の長辺縁部側にほぼ全長にわたって形成されており、前記ペットの胸部側からの尿漏れを防止する第１の立体ギャザー，
前記ベルト本体のペットに当てる面の他方の長辺縁部側に、前記ペットの後足の付け根間に相当する範囲に形成されており、前記後足側からの尿漏れを防止する第２の立体ギャザー，
前記ベルト本体を、前記ペットの胴体に巻き付けた状態で固定する固定手段，
を備えたことを特徴とするペット用尿漏れ防止ベルト。
【請求項２】
前記ベルト本体に、更に他の立体ギャザーを設けたことを特徴とする請求項１記載のペット用尿漏れ防止ベルト。
【請求項３】
前記第２の立体ギャザーが、前記ペットの後足の付け根間の位置からずれるのを防止するための位置ずれ防止機構，
を備えたことを特徴とする請求項１又は２記載のペット用尿漏れ防止ベルト。
【請求項４】
前記ベルト本体を、前記ペットの後足間に相当する部分と、前記後足の外側に相当する部分とで、異なる幅に設定することによって、前記ベルト本体の回転による位置ずれを防止することを特徴とする請求項３記載のペット用尿漏れ防止ベルト。
【請求項５】
前記固定手段が、前記ペットに装着状態のベルト本体の長さを調節可能であることを特徴とする請求項１〜４のいずれかに記載のペット用尿漏れ防止ベルト。
【請求項６】
前記ベルト本体が、
尿が透過可能な透過性シート，
前記尿が透過不能な不透過性シート，
前記各シート間に設けられており、前記尿を吸収する吸収体，
により構成されていることを特徴とする請求項１〜５のいずれかに記載のペット用尿漏れ防止ベルト。
【請求項７】
ペットの胴体に巻き付けられるベルトに装着可能な尿漏れ防止シートであって、
少なくとも前記ペットの尿道口を覆う幅に形成されており、尿を透過させない素材によって形成された帯状のシート本体，
該シート本体のペットに当てる側の面の長辺縁部側に形成されており、尿漏れを防止する立体ギャザー，
を備えたことを特徴とするペット用尿漏れ防止シート。
【請求項８】
前記立体ギャザーが、
一方の前記長辺縁部側にほぼ全長にわたって形成されており、前記ペットの胸部側からの尿漏れを防止する第１の立体ギャザー，
他方の前記長辺縁部側に、前記ペットの後足の付け根間に相当する範囲に形成されており、前記後足側からの尿漏れを防止する第２の立体ギャザー，
を含むことを特徴とするペット用尿漏れ防止シート。
【請求項９】
尿を吸収する吸収体とともに前記ベルトに装着して利用することを特徴とする請求項７又は８記載のペット用尿漏れ防止シート。
【請求項１０】
ペットの排泄物が、家具・備品類にかかるのを防止する汚れ防止シート，
トイレットペーパーのロールが収納可能な容器本体と、該容器本体に着脱可能に設けられる蓋と、該蓋の略中央部に設けられており前記容器本体内からペーパーを引き出す開口部とを備えたペーパーロール収納容器，
前記ペットに提供するペット用おむつ，
の少なくともいずれかを備えたことを特徴とするペット用施設。
【請求項１１】
前記施設は、
請求項１〜６のいずれかに記載のペット用尿漏れ防止ベルト，
請求項７〜９のいずれかに記載の尿漏れ防止シートを設けたペット用ベルト，
のいずれかを装着するペットが利用することを特徴とする請求項１０記載のペット用施設。
【発明の詳細な説明】
【技術分野】
【０００１】
本発明は、犬や猫などの動物（主にペット）の尿漏れ防止ベルト，尿漏れ防止シート及び設備に関し、特に、マーキングによる汚れの防止に好適なペット用尿漏れ防止ベルト，尿漏れ防止シート及び設備に関するものである。
【背景技術】
【０００２】
犬や猫などのペットは、習性の一つとして尿によるマーキングを行うことがある。このような習性は、躾によって完全に制御できるものではなく、ペットを連れて宿泊施設や飲食店などを訪れる場合は、飼い主はマーキング対策を行う必要がある。また、マーキングのみならず、室内で飼っているペットが、病気や老衰などで排泄を制御できなくなった場合にも、尿漏れによって室内が汚れないように何らかの手段を講じなければならない。このようなペットの尿による汚れを防止するために、例えば、以下の特許文献１に示す技術が提案されている。
【０００３】
当該特許文献１に記載のペット用尿補足用品は、尻部全体を覆うことなく、ペットの尿道口及びその近傍を覆うようにして取り付けられ、着用状態で前記尿道口に当接可能な領域に尿を捕捉する機能を備えることを特徴としている。また、必要に応じて、ペットの胴部に巻き付けられる基体の長手方向側縁近傍には、該側縁に沿って立体状の防漏ギャザーを設けることが記載されている。
【特許文献１】特開２００４−１５９５９２公報
【０００４】
また、図６(A)に示すように、帯状のマナーベルト１００に、使い捨ての尿取りパッド１０６及び防水シート１０８を装着する方法も、既に実用化されている。前記マナーベルト１００は、布などで形成されており、表面１００Ａの端部に設けられた面テープ１０２Ａと、裏面１００Ｂの端部に設けられた面テープ１０２Ｂの貼り合わせにより、ペットの胴体への巻き付け固定及び長さ調節が可能となっている。そして、裏面１００Ｂの両端側には、前記尿取りパッド１０６及び防水シート１０８の両端を差し込むためのポケット１０４Ａ及び１０４Ｂが設けられている。なお、前記尿取りパッド１０６と防水シート１０８は、予め一体になっている場合もある。
【発明の開示】
【発明が解決しようとする課題】
【０００５】
ところで、実際にマーキング（ないし排尿）を行ったとき、ペットの胴部に巻き付けられた帯状体のうち、尿が漏れやすい部分は、尿道口が向く方向（すなわち、胸部寄りの腹部）と、後足の付け根部分である。しかしながら、上述した特許文献１に示す背景技術では、前記防漏ギャザーを両側縁の長手方向ほぼ全域にわたって設けているが、特に漏れやすい部分についての防漏強化がなされていない。言いかえれば、側縁全域に設けたギャザーでは、ペットの体形に合った漏れ防止を良好に行うことができず、後足の付け根部分から尿が伝って漏れる可能性がある。図６(A)に示す背景技術では、腹部側や後足の付け根間からの尿漏れについては、何ら対策が講じられていない。
【０００６】
一方、ペットとともに宿泊可能な施設では、ペットの排泄物による汚れを防止するための工夫がなされているが、上述したマーキングに関しては、主に飼い主の躾やペットの性格によるところが多いため、施設側でとれる対応には限りがあった。従って、ペットのマーキングや排泄物による汚れを積極的に防止することができれば、施設の運営側及び利用側の双方にとって好都合であるばかりでなく、ペット自体が、快適に過ごすことができる。
【０００７】
本発明は、以上の点に着目したもので、その目的は、簡単な構造でありながら、ペットのマーキングないし排泄による尿漏れを良好に防止することができ、装着感にも優れたペット用尿漏れ防止ベルト及び尿漏れ防止シートを提供することである。他の目的は、ペットのマーキングや排泄による汚れを積極的に防止することが可能なペット用施設を提供することである。
【課題を解決するための手段】
【０００８】
前記目的を達成するため、本発明は、ペット用の尿漏れ防止ベルトであって、前記ペットの胴体に巻き付けられるとともに、少なくとも前記ペットの尿道口を覆う幅に形成されており、尿を透過させない素材によって形成された帯状のベルト本体，該ベルト本体のペットに当てる面に、一方の長辺縁部側にほぼ全長にわたって形成されており、前記ペットの胸部側からの尿漏れを防止する第１の立体ギャザー，前記ベルト本体のペットに当てる面の他方の長辺縁部側に、前記ペットの後足の付け根間に相当する範囲に形成されており、前記後足側からの尿漏れを防止する第２の立体ギャザー，前記ベルト本体を、前記ペットの胴体に巻き付けた状態で固定する固定手段，を備えたことを特徴とする。
【０００９】
主要な形態の一つは、前記ベルト本体に、更に他の立体ギャザーを設けたことを特徴とする。他の形態は、前記第２の立体ギャザーが、前記ペットの後足の付け根間の位置からずれるのを防止するための位置ずれ防止機構，を備えたことを特徴とする。更に他の形態は、前記ベルト本体を、前記ペットの後足間に相当する部分と、前記後足の外側に相当する部分とで、異なる幅に設定することによって、前記ベルト本体の回転による位置ずれを防止することを特徴とする。更に他の形態は、前記固定手段が、前記ペットに装着状態のベルト本体の長さを調節可能であることを特徴とする。更に他の形態は、前記ベルト本体が、尿が透過可能な透過性シート，前記尿が透過不能な不透過性シート，前記各シート間に設けられており、前記尿を吸収する吸収体，により構成されていることを特徴とする。
【００１０】
他の発明は、ペットの胴体に巻き付けられるベルトに装着可能な尿漏れ防止シートであって、少なくとも前記ペットの尿道口を覆う幅に形成されており、尿を透過させない素材によって形成された帯状のシート本体，該シート本体のペットに当てる側の面の長辺縁部側に形成されており、尿漏れを防止する立体ギャザー，を備えたことを特徴とする。
【００１１】
主要な形態の一つは、前記立体ギャザーが、一方の前記長辺縁部側にほぼ全長にわたって形成されており、前記ペットの胸部側からの尿漏れを防止する第１の立体ギャザー，他方の前記長辺縁部側に、前記ペットの後足の付け根間に相当する範囲に形成されており、前記後足側からの尿漏れを防止する第２の立体ギャザー，を含むことを特徴とする。他の形態は、尿を吸収する吸収体とともに前記尿漏れ防止ベルトに装着して利用することを特徴とする。
【００１２】
本発明のペット用施設は、ペットの排泄物が、家具・備品類にかかるのを防止する汚れ防止シート，トイレットペーパーのロールが収納可能な容器本体と、該容器本体に着脱可能に設けられる蓋と、該蓋の略中央部に設けられており前記容器本体内からペーパーを引き出す開口部とを備えたペーパーロール収納容器，前記ペットに提供するペット用おむつ，の少なくともいずれかを備えたことを特徴とする。主要な形態の一つは、前記施設は、請求項１〜６のいずれかに記載のペット用尿漏れ防止ベルト，請求項７〜９のいずれかに記載の尿漏れ防止シートを設けたペット用ベルト，のいずれかを装着するペットが利用することを特徴とする。本発明の前記及び他の目的，特徴，利点は、以下の詳細な説明及び添付図面から明瞭になろう。
【発明の効果】
【００１３】
本発明によれば、ペットの胴体に尿道口を覆うように巻き付けられる帯状のベルト本体の一方の長辺縁部側に、前記ペットの胸部側からの尿漏れを防止する第１の立体ギャザーをほぼ全長に設けるとともに、他方の長辺縁部側に、前記ペットの後足の付け根間に相当する範囲に後足側からの尿漏れを防止する第２の立体ギャザーを設けることとした。あるいは、ペットの尿漏れを防止する立体ギャザーを備えた尿漏れ防止シートを、ペットの尿道口を覆うように巻き付けられる帯状のベルトに装着することとした。このため、尿漏れしやすい部分を重点的にカバーし、ペットのマーキングや排泄による尿漏れを良好に防止することができる。また、ペット用施設で本発明の尿漏れ防止ベルトや尿漏れ防止シートを利用することにより、ペットのマーキングや排泄によって施設が汚れるのを防止することができる。
【発明を実施するための最良の形態】
【００１４】
以下、本発明を実施するための最良の形態を、実施例に基づいて詳細に説明する。
【実施例１】
【００１５】
最初に、図１を参照しながら、本発明の実施例１を説明する。図１(A)は本実施例の使用状態を示す図，図１(B)は本実施例の外観斜視図，図１(C)は前記(B)を＃Ａ−＃Ａ線に沿って切断し矢印方向に見た断面図，図１(D)はベルトのサイズ調整の様子を示す図である。図１に示すように、本実施例のペット用尿漏れ防止ベルト（以下「尿漏れ防止ベルト」とする）１０は、犬３０の胴３２に巻き付けて使用されるものであり、犬３０のマーキングや排尿による尿漏れを防止するものである。なお、本実施例では、犬３０を例に挙げて説明しているが、猫など他の動物（ペット）に対して本発明を適用することを妨げるものではない。
【００１６】
図１に示すように、尿漏れ防止ベルト１０は、犬３０の尿道口３６を覆うことができる所定幅を有する帯状となっており、ベルト本体１２の両端側に設けられた一対の面テープ２４及び２６によって、前記犬３０の胴３２に着脱可能となっている。該面テープ２４又は２６のいずれか(図示の例では面テープ２４)を幅広とすることにより、図１(D)に示すように長さ調節が可能となっており、犬３０の体形に合わせて装着可能となっている。
【００１７】
前記ベルト本体１２は、図１(C)の断面に示すように、尿を透過する透過性シート１２Ａと、尿を透過しない不透過性シート１２Ｂの間に、尿を吸収する吸収体１４が設けられた構造となっている。このような透過性シート１２Ａ，不透過性シート１２Ｂ，吸収体１４としては、公知の各種のものが適用可能である。また、犬３０に直接当てる側の面には、長手方向の一方の縁部に、ほぼ全長に亘って尿漏れを防止する立体ギャザー１６が設けられている。該立体ギャザー１６は、ベルト本体１２との間に設けられたゴム１８によりギャザー寄せされている。更に、長手方向の他方の縁部には、前記犬３０の後足３４の付け根間の範囲に相当する長さであって、尿漏れを防止する他の立体ギャザー２０が設けられている。該立体ギャザー２０は、ベルト本体１２との間に設けられたゴム２２によりギャザー寄せされている。なお、前記立体ギャザー１６及び２０としては、尿を透過させない素材，例えば、前記不透過性シート１２Ｂと同様の素材が利用される。
【００１８】
次に、本実施例の作用を説明する。上述した構成の尿漏れ防止ベルト１０を、前記立体ギャザー１６が犬３０の胸部側になり、他方の立体ギャザー２０が後足３４側になるように、胴３２に巻き付けて面テープ２４及び２６により適宜位置に固定する。このとき、立体ギャザー１６が、必ず犬３０の尿道口３６よりも前方（すなわち胸部側）に位置し、かつ、もう一方の立体ギャザー２０が、後足３４の付け根間の位置になるように位置決めを行う。以上のように装着すると、犬３０がマーキングや排尿を行ったときに、前方（胸部側）からの漏れが立体ギャザー１６により防止される。また、他方の立体ギャザー２０により、吸収体１４で吸収しきれなかったり、腹部から伝わったりした尿が、後足３４の付け根部分を伝って漏れるのを防止することができる。
【００１９】
このように、実施例１によれば、次のような効果がある。
(1)犬３０の尿道口３６を覆うように胴３２に装着される帯状のベルト本体１２の一方の長辺縁部側に、胸部側からの尿漏れを防止する立体ギャザー１６をほぼ全長にわたって設けるとともに、他方の長辺縁部側に、後足３４の付け根間に相当する範囲に後足３４側からの尿漏れを防止する他の立体ギャザー２０を設けることとした。このため、尿漏れしやすい前方と後足３４間を重点的にカバーし、犬３０のマーキングや排泄による尿漏れを良好に防止することができる。
(2)前記ベルト本体１２の両端部に、一対の面テープ２４及び２６を設けることとしたので、犬３０に合わせてサイズ調整することができる。
【００２０】
図２には、本実施例の変形例が示されている。図２(A)は、使用状態を示す図，図２(B)は主要断面図である。図２に示す例の尿漏れ防止ベルト１０Ａは、基本的構造は図１に示す例と同様であるが、胸部側の縁部と、後足３４側の縁部に、前記立体ギャザー１６及び２０に加え、他の立体ギャザー１７及び２１が、それぞれほぼ全長にわたって設けられている。このように、更に他の立体ギャザー１７及び２１を設けることにより、更に良好に尿漏れを防止することができる。
【実施例２】
【００２１】
次に、図３を参照しながら本発明の実施例２を説明する。なお、上述した実施例と同一ないし対応する構成要素には同一の符号を用いることとする（以下の実施例についても同様）。上述した実施例１では、ベルト本体１２は、全長にわたってほぼ同一の幅を有する形状であったが、本実施例は、ベルト本体の幅を部分的にかえることにより、後足３４側の立体ギャザー２０の位置ずれを防止するものである。まず、図３(A)及び(B)に示す尿漏れ防止ベルト４０では、ベルト本体４２の略中央部，すなわち、犬３０の後足３４間に相当する部分の幅が他の部分よりも幅広となっている。そして、幅広部４４を後足３４間に当てることにより、ベルト本体４２が胴３２に対して回転するのを防止し、立体ギャザー２０の位置ずれを防止する構成となっている。
【００２２】
また、図３(C)及び(D)に示す尿漏れ防止ベルト５０では、後足３４の外側に相当する部分の幅が、後足３４間に相当する部分よりも幅広となっている。そして、幅広部５６が両方の後足３４の外側にくるように装着することにより、前記立体ギャザー２０の位置ずれを防止する構成となっている。もちろん、図３(C)及び(D)に示す例において、ベルト本体５２の略中央部，すなわち、後足３４間に相当する部分を、他の部分よりも幅が狭くなるように形成し、凹部５４を形成するようにしても結果的には同様の効果が得られる。以上説明したように、本実施例によれば、上述した実施例１の効果に加え、立体ギャザー２０の位置ずれを防止できるという効果がある。
【実施例３】
【００２３】
次に、図４及び図５を参照して、本発明の実施例３について説明する。図４は、本実施例の施設内の部屋の様子を示す図である。図５(A)は、本実施例のペーパーロール容器を示す外観斜視図，(B)は使用例を示す図である。図４に示すように、犬３０とともに利用可能な宿泊施設の部屋６０には、通常、ベッド６２のほか、サイドテーブル等の各種の家具・備品類が備え付けられている。本実施例の部屋６０では、犬３０のマーキングや排泄による汚れを防止するために、ベッド６２に汚れ防止シート６４が掛けられている。また、犬３０の排泄物を処理するためのトイレットペーパーのロールが収納されたペーパーロール容器７０が設けられている。更に、部屋６０自体の汚れ防止対策に加え、犬３０にも、上述した実施例１と同様の尿漏れ防止ベルト１０が装着されている。なお、尿漏れ防止ベルト１０は、施設側で用意するようにしてもよいし、犬３０の飼い主が予め用意しておくようにしてもよい。更に、前尿漏れ防止ベルト１０は、雄用のため、雌のペットのために、ペット用おむつ６６を施設側に常備しておき、必要に応じて提供するようにしてもよい。
【００２４】
前記汚れ防止シート６４は、犬３０の排泄物（糞尿）が家具・備品類にかかるのを防止できるものであればよく、公知の各種の素材のものが利用可能である。一方、ペーパーロール容器７０は、トイレットペーパーのロール７８を収納可能な略円筒状の本体７２と、該本体７２の開放部に着脱可能に設けられる蓋７４により構成されている。前記蓋７４の略中央部には、前記ロール７８からトイレットペーパー８０を一枚ずつ引き出すことができる開口部７６が形成されている。このようなペーパーロール容器７０に、中央の芯を抜いて中空部からペーパー８０の端部を引き出したロール７８を収納し、蓋７４を取り付ける。収納されたロール７８からは、前記開口部７６を介してペーパー８０が引き出されるため、犬３０の排泄物を処理したのち、そのままトイレ８２に流して簡便に処理を行うことができる。なお、市販のウェットティッシュでは、トイレ８２に流すことができないため、ロール容器７８の中には、必ずトイレットペーパーのロール７８を収納するようにする。
【００２５】
このように、本実施例によれば、上述した尿漏れ防止ベルト１０を犬３０に装着させるとともに、該犬３０が利用する施設側には、排泄物の汚れを防止する汚れ防止シート６４や、排泄物の処理に適したペーパーロール容器７０，ペット用おむつ６６などを備えることとしたので、犬３０のマーキングや排泄物による汚れを防止し、部屋６０の提供側及び利用者側のみならず、犬３０自体も快適に利用することができる。
【実施例４】
【００２６】
次に、図６を参照して、本発明の実施例４を説明する。上述した実施例１〜３に示す尿漏れ防止ベルトは、ベルト自体に尿漏れ防止機能を設けた例であるが、本実施例は、マナーベルトないしマナーバンド等といわれる既存のペット用尿漏れ防止ベルトを利用した例である。上述したように、従来は、図６(A)に示すマナーベルト１００の内側（ペットに当てる側）に設けられたポケット１０４Ａ及び１０４Ｂに、尿取りパッド１０６及び防水シート１０８を重ねて装着して利用されている。図６(B)に示す本実施例の尿漏れ防止シート１１０は、前記防水シート１０８の代わりに利用されるものであり、前記マナーベルト１００に装着可能な長さで、かつ、防水機能を有する素材によって形成されており、長辺側縁部に立体ギャザー１１２及び１１４が形成されている。そして、裏面に設けられた両面テープや接着剤シート（図示せず）により、マナーベルト１００に固定して利用される。このとき、必要に応じて、前記尿取りパッド１０６などを一緒に装着するようにしてもよい。なお、本実施例においても、上述した実施例１及び２と同様に、立体ギャザー１１２，１１４のいずれか一方を、後足の付け根間に相当する範囲にのみ形成するようにしてもよいし、更に他の立体ギャザーを設けるようにしてよい。
【００２７】
更に、図６(C)に示す尿漏れ防止パッド１２０のように、内側に尿取り用の吸収体１２６を設けて、尿漏れ防止シートと一体に形成するようにしてもよい。この場合は、吸収体１２６の裏側に相当する部分と長辺縁部に設ける立体ギャザー１２２及び１２４を防水素材とし、表側（すなわち、ペットに当てる側）を透水性素材とすればよい。このように、本実施例によれば、尿漏れ防止シートに立体ギャザーを設けることとしたので、既存のマナーベルトを活用することができるとともに、ファッション性にも優れているため、市街地内などでの利用にも適している。
【００２８】
なお、本発明は、上述した実施例に限定されるものではなく、本発明の要旨を逸脱しない範囲内において種々変更を加え得ることができる。例えば、以下のものも含まれる。
(1)上述した実施例で示した形状，寸法は一例であり、同様の効果を奏するように適宜変更してよい。また、大型犬用，中型犬用，小型犬用というように、予め数種類の大きさの尿漏れ防止ベルトを用意するようにしてもよい。
(2)材質についても同様に、必要に応じて適宜変更可能であり、ベルト本体１２や立体ギャザーとして、抗菌，殺菌，除菌，防臭機能を有する素材を用いるようにしてもよい。また、色彩や模様についても同様に、適宜変更してよい。
(3)前記実施例で示した面テープ２４及び２６による着脱機構及びサイズ調節機構も一例であり、同様の効果を奏するように適宜設計変更可能である。
(4)前記実施例では、本発明を主に犬のマーキング防止用に利用することとしたが、病気や老衰などにより排泄を制御できない場合の尿漏れに利用するようにしてもよい。また、ペットとしては、犬に限定されるものではなく、猫などの他の動物用の尿漏れ防止ベルトとして適用することを妨げるものではない。
(5)前記実施例４で示したマナーベルト１００も一例であり、公知の各種のマナーベルトないしマナーバンドなどに本発明は適用可能である。
(6)前記実施例３では、宿泊施設などで本発明の尿漏れ防止ベルトを利用することとしたが、ペット利用が可能な他の公知の各種の施設や、一般家庭で利用するようにしてもよい。また、前記実施例３では、汚れ防止シート６４及びペーパーロール容器７０を部屋６０に備え付けることとしたが、これも一例であり、いずれか一方のみを設けるようにしてもよいし、更に他の汚れ防止具や排泄物処理具などを用意するようにしてもよい。また、施設側による雌のペット用おむつ６６の提供も任意であり、犬３０の飼い主が用意するようにしてもよい。もちろん、前記実施例４で示した尿漏れ防止シート１１０ないし尿漏れ防止パッド１２０を利用するマナーバンド１００を装着したペットが利用することを妨げるものではなく、前記施設側で、尿漏れ防止シート１００や尿漏れ防止パッド１２０を用意するようにしてもよい。
【産業上の利用可能性】
【００２９】
本発明によれば、ペットの胴体に尿道口を覆うように巻き付けられる帯状のベルト本体の一方の長辺縁部側に、前記ペットの胸部側からの尿漏れを防止する第１の立体ギャザーをほぼ全長に設けるとともに、他方の長辺縁部側に、後足の付け根間に相当する範囲に後足側からの尿漏れを防止する第２の立体ギャザーを設けて、尿漏れしやすい部分を重点的にカバーすることとした。あるいは、ペットの尿漏れを防止する立体ギャザーを備えた尿漏れ防止シートを、ペットの尿道口を覆うように巻き付けられる帯状のベルトに装着することとした。このため、ペットのマーキングや排泄による尿漏れ防止用のベルトやシートの用途に適用できる。特に、ペット用施設で利用する尿漏れ防止ベルトないしシートの用途に好適である。
【図面の簡単な説明】
【００３０】
【図１】本発明の実施例１を示す図であり、(A)は使用状態を示す図，(B)は本実施例の外観を示す斜視図，(C)は前記(B)を＃Ａ−＃Ａ線に沿って切断し矢印方向に見た断面図，(D)は胴囲の調節状態を示す図である。
【図２】前記実施例１の変形例を示す図であり、(A)は使用状態を示す図，(B)は主要断面図である。
【図３】本発明の実施例２と変形例を示す図である。
【図４】本発明の実施例３を示す図である。
【図５】前記実施例３を示す図であり、(A)はペーパーロール容器の外観斜視図，(B)は使用例を示す図である。
【図６】本発明の実施例４及び背景技術の一例を示す図である。
【符号の説明】
【００３１】
１０，１０Ａ：尿漏れ防止ベルト
１２：ベルト本体
１２Ａ：透過性シート
１２Ｂ：不透過性シート
１４：吸収体
１６，１７，２０，２１：立体ギャザー
１８，２２：ゴム
２４，２６：面テープ
３０：犬
３２：胴
３４：後足
３６：尿道口
４０，５０：尿漏れ防止ベルト
４２，５２：ベルト本体
４４：幅広部
５４：凹部
５６：幅広部
６０：部屋
６２：ベッド
６４：汚れ防止シート
６６：ペット用おむつ
７０：ペーパーロール容器
７２：容器本体
７４：蓋
７６：開口部
７８：ペーパーロール
８０：トイレットペーパー
８２：トイレ
１００：マナーベルト
１００Ａ：表面
１００Ｂ：裏面
１０２Ａ，１０２Ｂ：面テープ
１０４Ａ，１０４Ｂ：ポケット
１０６：尿取りパッド
１０８：防水シート
１１０：尿漏れ防止シート
１１２，１１４：立体ギャザー
１２０：尿漏れ防止パッド
１２２，１２４：立体ギャザー
１２６：吸収体
【図１】
2007020533.tif 000003
【図２】
2007020533.tif 000004
【図３】
2007020533.tif 000005
【図４】
2007020533.tif 000006
【図５】
2007020533.tif 000007
【図６】
2007020533.tif 000008